(57)【要約】【課題】構造及び作業性が容易な構成でＰＤＰの駆動によって発生する電磁波ノイズのアナログ信号への混入を十分に低減して抑制し、表示画面や音声出力のノイズを防止する。【解決手段】入力ジャック部１２Ｂとシールドシャーシ８との間に位置する支柱７ｄの表面側に隙間用の凹部１６を形成し、信号ケーブル１４Ｂを凹部１６を通してシールドシャーシ８内に引き込み、信号ケーブル１４Ｂを背面板３から離隔し背面カバーに接するように配設する。【選択図】図１
2008058631.tif 000002
【特許請求の範囲】
【請求項１】
プラズマディスプレイパネル背面の前記プラズマディスプレイパネルの駆動回路を含む各種回路部が取り付けられた金属製の背面板と、前記背面板の左、右のいずれか一方の隅に取り付けられた映像・音声のアナログ信号の入力端子部と、前記背面板の表面上方の左、右に位置し、それぞれの上下の端部が前記背面板に取り付けられた２本の金属製の支柱と、前記背面板の前記両支柱間に設けられて信号処理回路を収容し前記入力端子部から引き出された信号ケーブルが引き込まれるトレイ状のシールドシャーシと、前記プラズマディスプレイパネルの背面側を覆い前記シールドシャーシの蓋体を形成する金属製の背面カバーとを備えたプラズマディスプレイ装置において、前記入力端子部と前記シールドシャーシとの間に位置する一方の前記支柱の表面側に隙間用の凹部を形成し、前記信号ケーブルを前記凹部を通して前記シールドシャーシ内に引き込み、前記信号ケーブルを前記背面板から離隔し前記背面カバーに接するように配設することを特徴とするプラズマディスプレイ装置。
【請求項２】
他方の前記支柱の表面側に隙間用の第２の凹部を形成し、前記背面板の左、右のいずれか他方のアナログ信号の第２の信号ケーブルを前記第２の凹部を通して前記シールドシャーシ内に引き込み、前記第２の信号ケーブルを前記背面板から離隔し前記背面カバーに接するように配設することを特徴とする請求項１記載のプラズマディスプレイ装置。
【請求項３】
プラズマディスプレイパネル背面の前記プラズマディスプレイパネルの駆動回路を含む各種回路部が取り付けられた金属製の背面板と、前記背面板の左、右のいずれか一方の隅に取り付けられた映像・音声のアナログ信号の入力端子部と、前記背面板の表面上方の左、右に位置し、それぞれの上下の端部が前記背面板に取り付けられた２本の金属製の支柱と、前記背面板の前記両支柱間に設けられて信号処理回路を収容し前記入力端子部から引き出された信号ケーブルが引き込まれるトレイ状のシールドシャーシと、前記プラズマディスプレイパネルの背面側を覆い前記シールドシャーシの蓋体を形成する金属製の背面カバーとを備えたプラズマディスプレイ装置において、前記入力端子部に近い一方の前記支柱とと前記背面カバーとの間隙に位置した前記シールドシャーシの周面上部にケーブル挿通用の挿通孔を形成し、前記信号ケーブルを前記挿通孔を通して前記シールドシャーシ内に引き込み、前記信号ケーブルを前記背面板から離隔し前記背面カバーに接するように配設することを特徴とするプラズマディスプレイ装置。
【請求項４】
他方の前記支柱と前記背面カバーとの間隙に位置した前記シールドシャーシの周面上部にケーブル挿通用の第２の挿通孔を形成し、前記背面板の左、右端部のいずれか他方側の第２の信号ケーブルを前記第２の挿通孔を介して前記シールドシャーシ内に引き込み、前記第２の信号ケーブルを前記背面板から離隔し前記背面カバーに接するように配設することを特徴とする請求項３記載のプラズマディスプレイ装置。
【請求項５】
前記第２の信号ケーブルは、少なくともスピーカに供給する音声信号の信号ケーブルであることを特徴とする請求項２又は４に記載のプラズマディスプレイ装置。
【請求項６】
前記入力端子部は、シールド板付きの映像・音声の入力ジャック部であり、該入力ジャック部のシールド板が前記入力ジャック部から引き出されて前記シールドシャーシ内に引き込まれる信号ケーブルを前記背面カバーに押し付ける折曲片を有することを特徴とする請求項１乃至５のいずれか１項に記載のプラズマディスプレイ装置。
【請求項７】
前記背面板の前記入力端子部と前記駆動回路とを仕切る位置に設けられ、前記入力端子部の第２のシールド板を形成すると共に信号ケーブルを前記背面カバーに押し付ける金属製の仕切り板を設けたことを特徴とする請求項１乃至６のいずれか１項に記載のプラズマディスプレイ装置。
【発明の詳細な説明】
【技術分野】
【０００１】
本発明は、プラズマディスプレイ装置に関し、詳しくは、プラズマディスプレイの駆動によって発生する電磁波ノイズのアナログ信号への混入の抑制に関する。
【背景技術】
【０００２】
従来、プラズマ表示のテレビに代表されるプラズマディスプレイ装置は、薄型で省スペースでの設置が可能なことから、近年、大画面のプラズマディスプレイパネル（以下、プラズマディスプレイパネルをＰＤＰという）を備えたもの需要が増加する傾向にある。
【０００３】
この種のプラズマディスプレイ装置は、概略、図８、図９に示すように構成されている。図８は後述する金属製の背面カバーを取り外した状態の背面図、図９はその切断側面図である。尚、図９においては、説明の都合上から、切断面のハッチングを省略している。
【０００４】
それらの図面に示すように、プラズマディスプレイ装置１Ａは、ＰＤＰ２の背面全体にに金属製の背面板（アルミパネル）３が貼り付けられ、背面板３にはＰＤＰ２の駆動回路４ａ、４ｂを含む各種回路部等の部品が取り付けられている。
【０００５】
尚、ＰＤＰ２の駆動回路４ａ、４ｂは、背面板３の左、右に分離して位置し、その配線は等価的に大きなループアンテナを形成する。
【０００６】
又、ＰＤＰ２は、前面に電磁妨害（ＥＭＩ：Ｅｌｅｃｔｒｏ  Ｍａｇｎｅｔｉc  Ｉｎｔｅｒｆｅｒｅｎｃe）フィルタ用ガラス５が設けられ、この状態で樹脂製の枠筐体６に嵌め込むように取り付けられている。
【０００７】
更に、大画面の壁掛けタイプや据え置きタイプ等の場合、背面板３の左、右の駆動回路４ａ、４ｂそれぞれより中央寄りの位置の表面上部（後方）に金属製（アルミ）の支柱７ａ、７ｂが縦桟状に設けられ、支柱７ａ、７ｂは上下の端部が傾斜又は折曲加工等されて背面板３にネジ止めされている。
【０００８】
背面板３の中央下部に横長のトレイ状のシールドシャーシ８が設けられ、シールドシャーシ８の左、右の上縁フランジ８ａ、８ｂは支柱７ａ、７ｂに引っ掛けた状態でネジ止めされている。
【０００９】
そして、シールドシャーシ８は映像・音声の信号処理回路９を収容し、ＰＤＰ２の背面側を密封状に覆う金属製（アルミ）の背面カバー（図示せず）を支柱７ａ、７ｂ等にネジ止めして取り付けると、背面カバーがシールドシャーシ８の蓋体を形成し、信号処理回路９は背面カバーとシールドシャーシ８によって完全に後述の電磁波ノイズからシールドされる構造になっている。
【００１０】
次に、信号処理回路９の映像・音声のアナログ信号を入出力するため、シールドシャーシ８の直下に強磁性体（鉄製）の横長のアングルケース１０が設けられ、アングルケース１０内に映像・音声のアナログ信号の複数個の入出力端子１１が端子群として設けられ、各入出力端子１１は信号処理回路９に接続されている。尚、アングルケース１０は背面カバーを装着しても露出した状態になる。
【００１１】
又、使い勝手等を考慮して、プラズマディスプレイ装置１Ａが映像・音声のアナログ信号を２個所から入力可能な構成の場合、背面板３の左、右のいずれか一方の隅、図８では右側の下隅に、映像・音声のアナログ信号の入力端子部として、シールド板付きの映像・音声信号の入力ジャック部１２Ａが設けられる。
【００１２】
入力ジャック部１２Ａは基板１２ａに立設したパネル１２ｂに１又は複数系統の映像・音声のアナログ信号の複数個の入力端子１３が設けられている。
【００１３】
そして、信号処理回路９から離れた位置の各入力端子１３の映像・音声のアナログ信号は、一端が各入力端子１３に接続されて入力ジャック部１２Ａから引き出された信号ケーブル１４Ａにより、信号処理回路９に送られる。
【００１４】
ここで、信号ケーブル１４Ａの他端を信号処理回路９に接続するため、従来は、図９に示すように信号ケーブル１４Ａを背面板３と支柱７ｂとの隙間Ｇａを通してシールドシャーシ８内に引き込んでいる。
【００１５】
尚、図８の１５ａ、１５ｂは左右のスピーカである。信号処理回路９から出力された音声信号は、図示省略された音声信号の信号ケーブルを介してスピーカ１５ａ、１５ｂに供給されるが、その信号ケーブルはシールドシャーシ８の左側から引き出される。又、電源のオン、オフの信号のような制御信号が、その信号ケーブルを左側からシールドシャーシ８内に引き込んで信号処理回路９等に供給されるようになっている。
【００１６】
一方、複写機等の電子機器において、各回路ブロック及び各回路ブロック間のファーネス（信号線の束）を収納する筐体のフレームを導電性強磁性体のダクトにして各回路ブロック及びファーネスを静電及び電磁シールドし、更にはスプリアス放射を防ぐことが提案されている（例えば、特許文献１参照。）。
【００１７】
又、磁気テープ記録再生装置において、ドラムモーターケーブルをフラットケーブルで形成し、かつ、前記フラットケーブルを筐体内壁に所定の長さ接触することで、専用の追加的な部材をまったく必要とせず、しかも、製造工程におけるシャーシへの部材取付け工程やケーブル配線工程において、なんら特殊かつ複雑な工程を一切必要としないようにして、ドラムモータケーブルからオーディオヘッドケーブルに放射するノイズの影響を防止することが提案されている（例えば、特許文献２参照。）。
【特許文献１】特開平６−３８７７号公報（要約書、段落［０００５］、［００１９］−［００２０］、図１等）
【特許文献２】実用新案登録第３１０３９７３号公報（要約書、段落［００１３］−［００１５］、図３等）
【発明の開示】
【発明が解決しようとする課題】
【００１８】
前記図８、図９の従来装置１Ａにおいては、ＰＤＰ２の放電動作はサスティン周波数（高周波数）で行われ、ＰＤＰ２の駆動回路４ａ、４ｂがそのような高周波数で動作することにより、前記ループアンテナが高周波の電磁波ノイズを発生する。
【００１９】
この電磁波ノイズの電流は図９に破線に示すように、背面板３、支柱７ｂのループを流れ、同様に、背面板３、支柱７ａのループ等にも流れる。しかも、ＰＤＰ２の駆動電力は薄型ディスプレイ装置である液晶パネルの駆動電力より大きい。その為、背面板３の表面近傍に比較的大きな高周波数の電磁波ノイズが発生し、この電磁波ノイズが存在する前記隙間Ｇａを通る信号ケーブル１４Ａは前記電磁波ノイズがアナログ信号に混入する。
【００２０】
すなわち、アングルケース１０の各入出力端子１１については、信号処理回路９までの配線が短く、その配線もアングルケース１０、シールドシャーシ８によってノイズの混入が防止され、映像・音声のアナログ信号のノイズの混入は極めて少ないが、入力ジャック部１２Ａについては、信号ケーブル１４Ａがシールド線であっても、又、そのシールド線にフェライトコアを取り付けても、映像・音声のアナログ信号に電磁波ノイズが容易に混入する。
【００２１】
そして、前記電磁波ノイズが混入した映像・音声のアナログ信号を信号処理回路９で処理してＰＤＰ２に画面表示し、スピーカ１５ａ、１５ｂから音声出力することにより、画面にそのノイズが現れたり、出力音声にノイズが含まれたりし、プラズマディスプレイ装置１Ａの再生品位が低下する問題がある。
【００２２】
尚、信号処理回路９からスピーカ１５ａ、１５ｂに音声信号を供給する信号ケーブルや制御信号を信号修理回路９に供給する信号ケーブルについても、背面板３、支柱７ａの隙間を通すことによって同様の問題が生じる。
【００２３】
そして、前記特許文献１の発明のように、例えば信号ケーブル１４Ａを導電性強磁性体のダクト（パイプ）に収納してシールドすることが考えられるが、この場合は、信号ケーブル１４Ａ全体を収容する長いダクト（パイプ）が必要となり、構造及び製造の作業性が複雑となる問題点がある。
【００２４】
又、前記特許文献２の考案のように、例えば信号ケーブル１４Ａを筐体内壁に所定の長さ接触して接地シールドすることは容易でなく、仮にそのようにしたとしても、電磁波ノイズが最も大きい個所を通るのでノイズの影響が強く、十分なノイズ低減効果を得ることができない問題がある。
【００２５】
本発明は、構造及び作業性が容易な構成でＰＤＰの駆動によって発生する電磁波ノイズのアナログ信号への混入を十分に低減して抑制し、表示画面や音声出力のノイズを防止することを目的とする。
【課題を解決するための手段】
【００２６】
上記の目的を達成するために、本発明のプラズマディスプレイ装置は、ＰＤＰ背面の前記ＰＤＰの駆動回路を含む各種回路部が取り付けられた金属製の背面板と、前記背面板の左、右のいずれか一方の隅に取り付けられた映像・音声のアナログ信号の入力端子部と、前記背面板の表面上方の左、右に位置し、それぞれの上下の端部が前記背面板に取り付けられた２本の金属製の支柱と、前記背面板の前記両支柱間に設けられて信号処理回路を収容し前記入力端子部から引き出された信号ケーブルが引き込まれるトレイ状のシールドシャーシと、前記ＰＤＰの背面側を覆い前記シールドシャーシの蓋体を形成する金属製の背面カバーとを備えたプラズマディスプレイ装置において、前記入力端子部と前記シールドシャーシとの間に位置する一方の前記支柱の表面側に隙間用の凹部を形成し、前記信号ケーブルを前記凹部を通して前記シールドシャーシ内に引き込み、前記信号ケーブルを前記背面板から離隔し前記背面カバーに接するように配設することを特徴としている（請求項１）。
【００２７】
又、本発明のプラズマディスプレイ装置は、請求項１に係るプラズマディスプレイ装置において、他方の前記支柱の表面側に隙間用の第２の凹部を形成し、前記背面板の左、右のいずれか他方のアナログ信号の第２の信号ケーブルを前記第２の凹部を通して前記シールドシャーシ内に引き込み、前記第２の信号ケーブルを前記背面板から離隔し前記背面カバーに接するように配設することを特徴としている（請求項２）。
【００２８】
更に、本発明のプラズマディスプレイ装置は、ＰＤＰ背面の前記ＰＤＰの駆動回路を含む各種回路部が取り付けられた金属製の背面板と、前記背面板の左、右のいずれか一方の隅に取り付けられた映像・音声のアナログ信号の入力端子部と、前記背面板の表面上方の左、右に位置し、それぞれの上下の端部が前記背面板に取り付けられた２本の金属製の支柱と、前記背面板の前記両支柱間に設けられて信号処理回路を収容し前記入力端子部から引き出された信号ケーブルが引き込まれるトレイ状のシールドシャーシと、前記ＰＤＰの背面側を覆い前記シールドシャーシの蓋体を形成する金属製の背面カバーとを備えたプラズマディスプレイ装置において、前記入力端子部に近い一方の前記支柱と前記背面カバーとの間隙に位置した前記シールドシャーシの周面上部にケーブル挿通用の挿通孔を形成し、前記信号ケーブルを前記挿通孔を通して前記シールドシャーシ内に引き込み、前記信号ケーブルを前記背面板から離隔し前記背面カバーに接するように配設することを特徴としている（請求項３）。
【００２９】
又、本発明のプラズマディスプレイ装置は、請求項３に係るプラズマディスプレイ装置において、他方の前記支柱と前記背面カバーとの間隙に位置した前記シールドシャーシの周面上部にケーブル挿通用の第２の挿通孔を形成し、前記背面板の左、右端部のいずれか他方側の第２の信号ケーブルを前記第２の挿通孔を介して前記シールドシャーシ内に引き込み、前記第２の信号ケーブルを前記背面板から離隔し前記背面カバーに接するように配設することを特徴としている（請求項４）。
【００３０】
更に、本発明のプラズマディスプレイ装置は、請求項２又は４に係るプラズマディスプレイ装置における前記第２の信号ケーブルが、少なくともスピーカに供給する音声信号の信号ケーブルであることを特徴としている（請求項５）。
【００３１】
加えて、本発明の請求項１乃至５の何れか１つに記載のプラズマディスプレイ装置における前記入力端子部は、シールド板付きの映像・音声の入力ジャック部であり、該入力ジャック部のシールド板が前記入力ジャック部から引き出されて前記シールドシャーシ内に引き込まれる信号ケーブルを前記背面カバーに押し付ける折曲片を有することを特徴としている（請求項６）。
【００３２】
又、本発明のプラズマディスプレイ装置は、請求項１乃至６の何れか１つに記載のプラズマディスプレイ装置において、更に、前記背面板の前記入力端子部と前記駆動回路とを仕切る位置に設けられ、前記入力端子部の第２のシールド板を形成すると共に信号ケーブルを前記背面カバーに押し付ける金属製の仕切り板を設けたことを特徴としている（請求項７）。
【発明の効果】
【００３３】
請求項１、３の発明によれば、映像・音声のアナログ信号の入力端子部から引き出された信号ケーブルが、入力端子部に近い一方の支柱の表面側に形成された隙間用の凹部又は、シールドシャーシの周面上部に形成されたケーブル挿通用の挿通孔を通ってシールドシャーシ内に引き込まれて信号処理回路に接続される。
【００３４】
このとき、信号ケーブルは、背面板と前記一方の支柱が形成するＰＤＰ駆動回路の高周波数の電磁波ノイズの電流ループの外であって、かつ、背面板から離隔し、背面カバーに接するように配設され、最も前記電磁波ノイズの影響を受けない個所を通ってシールドケースに引き込まれる。
【００３５】
そのため、入力端子部から引き出された信号ケーブル全体を収容する長いダクト（パイプ）等は不要であり、構造及び製造の作業性が容易な構成でＰＤＰの駆動によって発生する電磁波ノイズの映像・音声のアナログ信号への混入を十分に低減して抑制し、表示画面や音声出力のノイズを十分に防止することができる。
【００３６】
又、請求項２、４に係る発明によれば、アナログ信号の第２の信号ケーブルも、他方の支柱の表面側に形成された隙間用の凹部又は、シールドシャーシの周面上部に形成されたケーブル挿通用の第２の挿通孔を通ってシールドシャーシ内に引き込まれて信号処理回路に接続される。
【００３７】
そのため、第２の信号ケーブルについても、そのケーブル全体を収容する長いダクト（パイプ）等は不要であり、構造及び作業性が容易な構成でＰＤＰの駆動によって発生する電磁波ノイズの第２のアナログ信号への混入を十分に低減して抑制し、表示画面や音声出力のノイズを一層防止することができる。
【００３８】
そして、第２のアナログ信号は、請求項５に係る発明のようにスピーカに供給する音声信号等であることが、実用的で好ましい。
【００３９】
更に、請求項６に係る発明によれば、前記入力端子部がシールド板付きの映像・音声の入力ジャック部からなり、実用的な構成であると共に、その入力ジャック部のシールド板の折曲片が信号ケーブルを背面カバーに押し付けて積極的に背面カバーに接触させるため、信号ケーブルの映像・音声のアナログ信号への電磁波ノイズの混入を一層十分に低減することができる。
【００４０】
又、請求項７に係る発明によれば、仕切り板によって入力端子部はＰＤＰの駆動回路の電磁波ノイズから一層効果的にシールドされ、しかも、前記仕切り板によっても信号ケーブルが背面カバーに押し付けられるため、信号ケーブルの映像・音声のアナログ信号への電磁波ノイズの混入を更に一層十分に低減することができる。
【発明を実施するための最良の形態】
【００４１】
つぎに、本発明をより詳細に説明するため、その実施形態について、図１〜図７にしたがって詳述する。
【００４２】
（一実施形態）
まず、請求項１、６、７に対応する一実施形態について、図１〜図６を参照して説明する。
【００４３】
図１はプラズマディスプレイ装置１Ｂの金属製（アルミ）の背面カバー１７を取り外した状態の背面図、図２は背面カバー１７取り付けた状態の平面図、図３は要部の分解斜視図、図４はその組み立て・配線状態の斜視図、図５は一部の拡大断面図、図６は電磁波ノイズのループと信号ケーブルとの位置関係の説明図である。尚、図１、図６は従来装置１Ａの図８、図９に対応し、図１〜図６において、図８、図９と同一符号は同一若しくは相当するものを示す。
【００４４】
そして、プラズマディスプレイ装置１Ｂが従来装置１Ａと異なる点は、第一に、従来装置１Ａの左右の支柱７ａ、７ｂに代えて同じ位置に支柱７ｃ、７ｄを設け、図３、図５、図６に示すように、右側の支柱７ｄ（一方の支柱）の下部位置の表面側に信号ケーブル１４Ｂが通る隙間用の凹部１６を支柱７ｄの切削加工等によって形成した点である。尚、信号ケーブル１４Ｂを、凹部１６を通すのは、壁掛けタイプ等の場合、図２、図５に示す背面カバー１７を支柱７ｃ、７ｄ等にネジ止めして取り付けると、背面カバー１７と支柱７ｃ、７ｄとの隙間がなく、信号ケーブル１４Ｂを通す余地がないからである。
【００４５】
第二には、従来装置１Ａの信号ケーブル１４Ａに相当する信号ケーブル１４Ｂが、映像・音声のアナログ信号の入力端子部としての従来装置１Ａの入力ジャク部１２Ａに代えて設けられたシールド板付きの映像・音声の入力ジャック部１２Ｂから引き出される点である。
【００４６】
そして、入力ジャック部１２Ｂは図３、図４に示すように、映像・音声の各入力端子１３が取り付けられた端子基板１２αと、シールド板１２βとからなり、シールド板１２βは入力ジャック部１２Ｂから引き出されてシールドシャーシ８内に引き込まれる信号ケーブル１４Ｂを背面カバー１７に押し付ける折曲片１２γを有する。
【００４７】
第三には、背面板３の入力端子部１２Ｂと駆動回路４ｂとを仕切る位置に略逆Ｌ字状の金属製（アルミ）の仕切り板１８を設け、この仕切り板１８により、入力端子部１２Ｂの第２のシールド板を形成すると共に、信号ケーブル１４Ｂを背面カバーに押し付けるようにした点である。
【００４８】
尚、凹部１６を通った信号ケーブル１４Ｂは、シールドシャーシ８の切欠又は挿通孔を介してシールドシャーシ８内に引き込まれる。
【００４９】
以上の構成に基づき、信号ケーブル１４Ｂは、凹部１６を通ることで背面板３から離隔して背面カバー１７に接し、背面カバー１７が支柱７ｃ、７ｄ等にネジ止めされることによって背面カバー１７に確実に接触する。
【００５０】
このとき、ＰＤＰ２の駆動回路４ａ、４ｂが１００ＫＨｚの高周波数（サスティン周波数）で動作し、上述のループアンテナが高周波の電磁波ノイズを発生することにより、図６の破線に示す背面板３、支柱７ｄのループを電磁波ノイズの電流が流れ、隙間Ｇｂに電磁波ノイズか発生していても、同図に示すように、信号ケーブル１４Ｂは前記ループ外の背面板３離れた位置にあり、従来のように隙間Ｇｂを通らない。しかも、背面板３のアース電位であって電磁波ノイズが最も少ない背面カバー１７に信号ケーブル１４Ｂが接触してシールドされるので、信号ケーブル１４Ｂは最も前記電磁波ノイズの影響を受けない個所を通ってシールドシャーシ８に引き込まれる。
【００５１】
そのため、信号ケーブル１４Ｂの映像・音声のアナログ信号のノイズの混入が著しく少なくなる。そして、信号ケーブル１４Ｂ全体を収容する長いダクト（パイプ）等は不要であり、支柱７ｄに凹部１６を形成する構造及び作業性が容易な構成でＰＤＰ２の駆動によって発生する電磁波ノイズの映像・音声のアナログ信号への混入を十分に低減して抑制し、表示画面や音声出力のノイズを十分に防止することができる。尚、信号ケーブル１４Ｂの引き回しが隙間Ｇａを通す従来ケーブル１４Ａより短くなり、この点からもノイズに対して好適である。
【００５２】
しかも、本実施形態の場合、入力ジャック部１２Ｂのシールド板１２βの折曲片１２γ及び、仕切り板１８により信号ケーブル１４Ｂを積極的に背面カバー１７に押し付けたため、製造の装置組立工程において、最後に支柱７ｃ、７ｄ等にネジ止めされて固定される背面カバー１７に信号ケーブル１４Ｂを容易かつ確実に接触し、信号ケーブル１４Ｂの映像・音声のアナログ信号への電磁波ノイズの混入を一層に低減して抑制し、表示画面や音声出力のノイズを更に一層十分に防止することができる。
【００５３】
尚、仕切り板１８を設けることにより、入力ジャック部１２Ｂのシールド性能が向上し、ＥＭＣの性能の向上も図られる。又、信号ケーブル１４Ｂをより一層背面カバー１７に押し付けるようにするため、例えば仕切り板１８の先端にガスケットのような金属製の弾性体を取り付けてもよい。
【００５４】
（他の実施形態）
つぎに、請求項３に対応する他の実施形態について、図７を参照して説明する。図７は図５に対応するプラズマディスプレイ装置１Ｃの一部の拡大断面図であり、図７において、図１〜図６と同一符号は同一若しくは相当するのものを示す。
【００５５】
そして、一実施形態のプラズマディスプレイ装置１Ｂは支柱７ｃ、７ｄが背面カバー１７に密着して隙間のない主に壁掛けタイプの構成であったが、本実施形態のプラズマディスプレイ装置１Ｃは、図７に示すように、支柱７ｄに相当する支柱（一方の支柱）７＊と背面カバー１７との間に隙間がある。尚、支柱７ｃに相当する他方の支柱と背面カバー１７との間にも同じような隙間がある。
【００５６】
この場合は、シールドシャーシ８に相当するシールドシャーシ８＊の前記隙間に位置した周面上部にケーブル挿通用の挿通孔１９を形成する。尚、本実施形態の場合は、シールドシャーシ８＊が上縁フランジ８ｂに相当する上縁フランジ８ｂ＊を有するので、この上縁フランジ８ｂ＊にも同様の挿通孔１９＊を形成する。
【００５７】
そして、信号ケーブル１４Ｂを挿通孔１９＊、１９を通してシールドシャーシ８＊内に引き込むことにより、前記一実施形態と同様の効果を奏する。
【００５８】
そして、本発明は上記した両実施形態に限定されるものではなく、その趣旨を逸脱しない範囲において上述したもの以外に種々の変形実施を行うことが可能であり、例えば、前記一実施形態において、支柱（他方の支柱）７ｃの表面側に凹部１６と同様の隙間用の第２の凹部を形成し、背面板３の例えば左（他方）のアナログ信号、具体的には、信号処理回路９からスピーカ１５ａ、１５ｂに供給する音声信号や、信号処理回路９に伝送する制御信号の第２の信号ケーブルを前記第２の凹部を通してシールドシャーシ８内に引き込み、前記第２の信号ケーブルを背面板３から離隔し背面カバー１７に接するように配設するようにしてもよく、この場合は、これらの信号のノイズも低減することができる。
【００５９】
同様に、前記他の実施形態において、支柱７ｄ＊と反対側の支柱（他方の支柱）と背面カバー１７との間隙に位置したシールドシャーシ８＊の周面上部に挿通孔１９と同様のケーブル挿通用の第２の挿通孔を形成し、背面板３の左、右端部のいずれか他方側の第２の信号ケーブル、すなわち、信号処理回路９からスピーカ１５ａ、１５ｂに供給する音声信号や、信号処理回路９に伝送する制御信号の第２の信号ケーブルを前記第２の挿通孔を介してシールドシャーシ８＊内に引き込み、前記第２の信号ケーブルを背面板３から離隔し前記背面カバーに接するようにしても同様の効果を奏する。
【００６０】
そして、本発明は、種々のプラズマディスプレイ装置に適用することができ、その際、凹部１６や挿通孔１９の大きさ、位置等は前記両実施形態に限られるものではない。
【図面の簡単な説明】
【００６１】
【図１】本発明の一実施形態のプラズマディスプレイ装置１Ｂの背面カバーを取り外した状態の背面図である。
【図２】同上、プラズマディスプレイ装置１Ｂの背面カバー１７取り付けた状態の平面図である。
【図３】同上、プラズマディスプレイ装置１Ｂの要部の分解斜視図である。
【図４】同上、プラズマディスプレイ装置１Ｂの要部の組み立て・配線状態の斜視図である。
【図５】同上、プラズマディスプレイ装置１Ｂの一部の拡大断面図である。
【図６】同上、プラズマディスプレイ装置１Ｂの電磁波ノイズのループと信号ケーブルとの位置関係の説明図である。
【図７】本発明の他の実施形態のプラズマディスプレイ装置１Ｃの一部の拡大断面図である。
【図８】従来装置１Ａの背面カバーを取り外した状態の背面図である。
【図９】従来装置１Ａの電磁波ノイズのループと信号ケーブルとの位置関係の説明図である。
【符号の説明】
【００６２】
１Ｂ、１Ｃ    プラズマディスプレイ装置
２    プラズマディスプレイパネル（ＰＤＰ）
３    背面板
４ａ、４ｂ    駆動回路
７ｃ、７ｄ、７ｄ＊    支柱
８、８＊    シールドシャーシ
９    信号処理回路
１２Ｂ    入力ジャック部
１２β    シールド板
１２γ    折曲片
１４Ｂ    信号ケーブル
１６    凹部
１７    背面カバー
１８    仕切り板
１９    挿通孔
【図１】
2008058631.tif 000003
【図２】
2008058631.tif 000004
【図３】
2008058631.tif 000005
【図４】
2008058631.tif 000006
【図５】
2008058631.tif 000007
【図６】
2008058631.tif 000008
【図７】
2008058631.tif 000009
【図８】
2008058631.tif 000010
【図９】
2008058631.tif 000011